(57)【要約】  本発明の実施例はアップリンク/ダウンリンクの構成情報送信方法および装置を開示し、該方法は、ネットワーク装置がＴＤＤアップリンク/ダウンリンクの構成情報を含むＤＣＩを生成することと、ネットワーク装置がＰＤＣＣＨまたはＥＰＤＣＣＨを用い前記ＴＤＤアップリンク/ダウンリンクの構成情報を含むＤＣＩを搬送することと、ネットワーク装置が予め定められた１つのサブフレーム集合中の少なくとも１つのサブフレームにてＰＤＣＣＨ又はＥＰＤＣＣＨを送信することと、を含む。
2016514920.tif 000002
【特許請求の範囲】
【請求項１】
アップリンク/ダウンリンクの構成情報送信方法であって、
前記アップリンク/ダウンリンクの構成情報送信方法は、
ネットワーク装置は、時分割複信（ＴＤＤ）アップリンク/ダウンリンクの構成情報を含むダウンリンク制御情報（ＤＣＩ）を生成するステップと、
前記ネットワーク装置は、ダウンリンク物理制御チャネル（ＰＤＣＣＨ）または拡張ダウンリンク物理制御チャネル（ＥＰＤＣＣＨ）を用い、前記ＴＤＤアップリンク/ダウンリンクの構成情報を含むＤＣＩを搬送するステップと、
前記ネットワーク装置は、予め定められた１つのサブフレーム集合中の少なくとも１つのサブフレームにて前記ＰＤＣＣＨ又はＥＰＤＣＣＨを送信するステップと、
を備えることを特徴とするアップリンク/ダウンリンクの構成情報送信方法。
【請求項２】
前記ネットワーク装置が時分割複信（ＴＤＤ）アップリンク/ダウンリンクの構成情報を含むダウンリンク制御情報チャネルＤＣＩを生成することは、
前記ネットワーク装置は前記ＴＤＤアップリンク/ダウンリンクの構成情報を含むＤＣＩを生成し、かつ、前記ＴＤＤアップリンク/ダウンリンクの構成情報は前記ＤＣＩ中の複数のビットにより示されることを含む、
ことを特徴とする請求項１記載のアップリンク/ダウンリンクの構成情報送信方法。
【請求項３】
前記ＴＤＤアップリンク/ダウンリンクの構成情報が前記ＤＣＩ中の複数のビットにより示されることは、
前記複数のビットが前記ＤＣＩ中の３ビットである場合、第３世代の移動体通信システムの標準化プロジェクト（３ＧＰＰ）進化型ユニバーサル地上無線アクセス（Ｅ−ＵＴＲＡ）にてサポートされる７種類のＴＤＤアップリンク/ダウンリンクの構成中のいずれのＴＤＤアップリンク/ダウンリンクの構成は、前記３ビットにより示され、
前記複数のビットが前記ＤＣＩ中の２ビットである場合、３ＧＰＰ  Ｅ−ＵＴＲＡにてサポートされる４種類の５ｍｓ周期のＴＤＤアップリンク/ダウンリンクの構成中のいずれのＴＤＤアップリンク/ダウンリンクの構成は、前記２ビットにより示され、
前記複数のビットが前記ＤＣＩ中の２ビットである場合、ＴＤＤアップリンク/ダウンリンクの構成集合内のいずれのＴＤＤアップリンク/ダウンリンクの構成は前記２ビットにより示され、ここで、前記ＴＤＤアップリンク/ダウンリンクの構成情報集合は、３ＧＰＰ  Ｅ−ＵＴＲＡにてサポートされる最大４種類のＴＤＤアップリンク/ダウンリンクの構成を含む、
ことであることを特徴とする請求項２記載のアップリンク/ダウンリンクの構成情報送信方法。
【請求項４】
前記ＤＣＩは、前記複数のビットとは異なるＸ個の予め定められたビットをさらに含み、前記Ｘ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の任意の１つのＤＣＩの長さと等しく、ここで、Ｘは１以上であり、
または、
前記ＤＣＩは、前記複数のビットとは異なるＹ個の予め定められたビットをさらに含み、前記Ｙ個の予め定められたビットは、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の少なくとも１つのＤＣＩの全ての情報を示し、ここで、Ｙは１以上であり、
または、
前記ＤＣＩは、さらに前記複数のビットとは異なるＺ個の予め定められたビットを含み、前記Ｚ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の最短ＤＣＩの長さより短く、ここで、Ｚは０以上である、
ことを特徴とする請求項２記載のアップリンク/ダウンリンクの構成情報送信方法。
【請求項５】
前記ＤＣＩに含まれる予め定められたビットは、全ビットが０の予め定められたビット又はオール１の予め定められたビットである、
ことを特徴とする請求項４記載のアップリンク/ダウンリンクの構成情報送信方法。
【請求項６】
前記ＰＤＣＣＨまたはＥＰＤＣＣＨとは、共通検出空間中（ｃｏｍｍｏｎ  ｓｅａｒｃｈ  ｓｐａｃｅ）のＰＤＣＣＨまたはＥＰＤＣＣＨを指し、
または、
前記ＰＤＣＣＨまたはＥＰＤＣＣＨは集合レベルがＳ以上のＰＤＣＣＨまたはＥＰＤＣＣＨを指し、ここで、Ｓ＞１であり、
または、
前記ＰＤＣＣＨまたはＥＰＤＣＣＨは指定の１つの論理番号または指定の複数の論理番号中の１つの論理番号を有するＰＤＣＣＨまたはＥＰＤＣＣＨである、
ことを特徴とする請求項１記載のアップリンク/ダウンリンクの構成情報送信方法。
【請求項７】
前記サブフレーム集合は，前記ネットワーク装置により予め定められ、かつ、Ｎ個ずつの無線フレーム（ｒａｄｉｏ ｆｒａｍｅ）中の第Ｍ個目のサブフレームを含み、ここで、Ｎは１より小さくなく、Ｍは１より大きい且つＰより小さく、Ｐは１つの無線フレームに含まれるサブフレームの数である、
ことを特徴とする請求項１記載のアップリンク/ダウンリンクの構成情報送信方法。
【請求項８】
ネットワーク装置は上位レイヤシグナリングにより予め定められたサブフレーム集合の情報を端末装置に送信するステップ、
をさらに備えることを特徴とする請求項７記載のアップリンク/ダウンリンクの構成情報送信方法。
【請求項９】
アップリンク/ダウンリンクの構成情報送信方法であって、
前記アップリンク/ダウンリンクの構成情報送信方法は、
端末装置は，予め定められた１つのサブフレーム集合中の少なくとも１つのサブフレームにてダウンリンク物理制御チャネル（ＰＤＣＣＨ）または拡張ダウンリンク物理制御チャネル（ＥＰＤＣＣＨ）を検出し、前記ＰＤＣＣＨまたはＥＰＤＣＣＨは時分割復信ＴＤＤアップリンク/ダウンリンクの構成情報を含むダウンリンク制御信号ＤＣＩを搬送するステップと、
前記端末装置は，検出されたＤＣＩから前記ＴＤＤアップリンク/ダウンリンクの構成情報を取得するステップと、
を備えることを特徴とするアップリンク/ダウンリンクの構成情報送信方法。
【請求項１０】
前記ＴＤＤアップリンク/ダウンリンクの構成情報は前記ＤＣＩ中の複数のビットにより示される、
ことを特徴とする請求項９記載のアップリンク/ダウンリンクの構成情報送信方法。
【請求項１１】
前記ＴＤＤアップリンク/ダウンリンクの構成情報は前記ＤＣＩ中の複数のビットにより示されることは、
前記複数のビットが前記ＤＣＩ中の３ビットである場合、第３世代の移動体通信システムの標準化プロジェクト（３ＧＰＰ）進化型ユニバーサル地上無線アクセス（Ｅ−ＵＴＲＡ）にてサポートされる７種類のＴＤＤアップリンク/ダウンリンクの構成中のいずれのＴＤＤアップリンク/ダウンリンクの構成は、前記３ビットにより示され、
前記複数のビットが前記ＤＣＩ中の２ビットである場合、３ＧＰＰ  Ｅ−ＵＴＲＡにてサポートされる４種類の５ｍｓ周期のＴＤＤアップリンク/ダウンリンクの構成中のいずれのＴＤＤアップリンク/ダウンリンクの構成は，前記２ビットにより示され、
前記複数のビットが前記ＤＣＩ中の２ビットである場合、ＴＤＤアップリンク/ダウンリンクの構成集合内のいずれのＴＤＤアップリンク/ダウンリンクの構成は前記２ビットにより示され、ここで、前記ＴＤＤアップリンク/ダウンリンクの構成情報集合は，３ＧＰＰ  Ｅ−ＵＴＲＡにてサポートされる最大４種類のアップリンク/ダウンリンクの構成を含む、
ことであることを特徴とする請求項１０記載のアップリンク/ダウンリンクの構成情報送信方法。
【請求項１２】
前記ＤＣＩはさらに前記複数のビットとは異なるＸ個の予め定められたビットを含み、前記Ｘ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の任意の１つのＤＣＩの長さと等しく、ここで、Ｘは１以上であり、
または、
前記ＤＣＩはさらに前記複数のビットとは異なるＹ個の予め定められたビットを含み、前記Ｙ個の予め定められたビットは、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の少なくとも１つのＤＣＩの全ての情報を示し、ここで、Ｙは１以上であり、
または、
前記ＤＣＩはさらに前記複数のビットとは異なるＺ個の予め定められたビットを含み、前記Ｚ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の最短ＤＣＩの長さより短く、ここで、Ｚは０以上である、
ことを特徴とする請求項１０記載のアップリンク/ダウンリンクの構成情報送信方法。
【請求項１３】
前記ＤＣＩに含まれる予め定められたビットは、全ビットが０の予め定められたビット又はオール１の予め定められたビットである、
ことを特徴とする請求項１２記載のアップリンク/ダウンリンクの構成情報送信方法。
【請求項１４】
前記ＰＤＣＣＨまたはＥＰＤＣＣＨとは、共通検出空間中のＰＤＣＣＨまたはＥＰＤＣＣＨを指し、または、
前記ＰＤＣＣＨまたはＥＰＤＣＣＨは，集合レベルがＳ以上のＰＤＣＣＨまたはＥＰＤＣＣＨを指し、ここで、Ｓ＞１であり、
または、
前記ＰＤＣＣＨまたはＥＰＤＣＣＨは、指定の１つの論理番号または指定の複数の論理番号中の１つの論理番号を有するＰＤＣＣＨまたはＥＰＤＣＣＨである、
ことを特徴とする請求項９記載のアップリンク/ダウンリンクの構成情報送信方法。
【請求項１５】
前記予め定められた１つのサブフレーム集合は、Ｎ個ずつの無線フレーム（ｒａｄｉｏ ｆｒａｍｅ）中の第Ｍ個目のサブフレームを含み、ここで、Ｎは１より小さくなく、Ｍは１より大きい且つＰより小さく、Ｐは１無線フレームに含まれるサブフレームの数である、
請求項９記載のアップリンク/ダウンリンクの構成情報送信方法。
【請求項１６】
前記端末装置はネットワーク装置が上位レイヤシグナリングにより前記端末装置に通知した、予め定められたサブフレーム集合の情報を受信すること、
をさらに含むことを特徴とする請求項１５記載のアップリンク/ダウンリンクの構成情報送信方法。
【請求項１７】
前記端末装置が予め定められた１つのサブフレーム集合中の少なくとも１つのサブフレームにてダウンリンク物理制御チャネル（ＰＤＣＣＨ）または拡張ダウンリンク物理制御チャネル（ＥＰＤＣＣＨ）を検出することは、
端末装置が最大尤度検出アルゴリズムを用い、予め定められた１つのサブフレーム集合中の少なくとも１つのサブフレームにてＴＤＤアップリンク/ダウンリンクの構成情報を含んだＤＣＩを搬送するためのＰＤＣＣＨまたはＥＰＤＣＣＨを検出する、ことを含むことを特徴とする請求項９記載のアップリンク/ダウンリンクの構成情報送信方法。
【請求項１８】
アップリンク/ダウンリンクの構成情報時分割複信（ＴＤＤ）アップリンク/ダウンリンクの構成情報を含むダウンリンク制御情報（ＤＣＩ）を生成するための生成モジュールと、
１つのダウンリンク物理制御チャネル（ＰＤＣＣＨ）または１つの拡張ダウンリンク物理制御チャネル（ＥＰＤＣＣＨ）を用い前記ＴＤＤアップリンク/ダウンリンクの構成情報を含んだＤＣＩを搬送するための処理モジュールと、
予め定められた１つのサブフレーム中の少なくとも１つのサブフレームにて前記ＰＤＣＣＨ又はＥＰＤＣＣＨを送信するための送信モジュールと、
を含むネットワーク装置。
【請求項１９】
前記生成モジュールは、具体的には前記ＴＤＤアップリンク/ダウンリンクの構成情報を含むＤＣＩを生成するために用いられ、かつ、前記ＴＤＤアップリンク/ダウンリンクの構成情報は前記ＤＣＩ中の複数のビットを介し示される、
ことを特徴とする請求項１８記載のネットワーク装置。
【請求項２０】
前記複数のビットが前記ＤＣＩ中の３ビットである場合、第３世代の移動体通信システムの標準化プロジェクト（３ＧＰＰ）進化型ユニバーサル地上無線アクセス（Ｅ−ＵＴＲＡ）にてサポートされる７種類のＴＤＤアップリンク/ダウンリンクの構成中のいずれのＴＤＤアップリンク/ダウンリンクの構成は、前記３ビットにより示され、
前記複数のビットが前記ＤＣＩ中の２ビットである場合、３ＧＰＰ  Ｅ−ＵＴＲＡにてサポートされる４種類の５ｍｓ周期のＴＤＤアップリンク/ダウンリンクの構成中のいずれのＴＤＤアップリンク/ダウンリンクの構成は、前記２ビットにより示され、
前記複数のビットが前記ＤＣＩ中の２ビットである場合、ＴＤＤアップリンク/ダウンリンクの構成集合内のいずれのＴＤＤアップリンク/ダウンリンクの構成は前記２ビットにより示され、ここで、前記ＴＤＤアップリンク/ダウンリンクの構成情報集合は、３ＧＰＰ  Ｅ−ＵＴＲＡにてサポートされる最大４種類のアップリンク/ダウンリンクの構成を含む、
ことを特徴とする請求項１９記載のネットワーク装置。
【請求項２１】
前記ＤＣＩは、前記複数のビットとは異なるＸ個の予め定められたビットをさらに含み、前記Ｘ個の予め定められたビットと、前記ＴＤＤアップリンク/ダウンリンクの構成情報を示す複数のビットと、の長さの合計は、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の任意の１つのＤＣＩの長さと等しく、ここで、Ｘは１以上であり、
または、
前記ＤＣＩは、前記複数のビットとは異なるＹ個の予め定められたビットをさらに含み、前記Ｙ個の予め定められたビットは、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の少なくとも１つのＤＣＩの全ての情報を示し、ここで、Ｙは１以上であり、または、
前記ＤＣＩは、前記複数のビットとは異なるＺ個の予め定められたビットをさらに含み、前記Ｚ個の予め定められたビットと、前記ＴＤＤアップリンク/ダウンリンクの構成情報の複数のビットと、の長さの合計は、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の最短ＤＣＩの長さより短く、ここで、Ｚは０以上である、
ことを特徴とする請求項１９記載のネットワーク装置。
【請求項２２】
前記生成モジュールにて生成されたＤＣＩに含まれる予め定められたビットは、全ビットが０の予め定められたビット又はオール１の予め定められたビットである、
ことを特徴とする請求項２１記載のネットワーク装置。
【請求項２３】
前記ＰＤＣＣＨまたはＥＰＤＣＣＨとは、共通検出空間中のＰＤＣＣＨまたはＥＰＤＣＣＨを指し、
または、
前記ＰＤＣＣＨまたはＥＰＤＣＣＨは集合レベルがＳ以上のＰＤＣＣＨまたはＥＰＤＣＣＨを指し、ここで、Ｓ＞１であり、
または、
前記ＰＤＣＣＨまたはＥＰＤＣＣＨは指定の１つの論理番号または指定の複数の論理番号中の１つの論理番号を有するＰＤＣＣＨまたはＥＰＤＣＣＨである、
ことを特徴とする請求項１８記載のネットワーク装置。
【請求項２４】
前記サブフレーム集合は、送信モジュールにより予め定められ、かつ、Ｎ個ずつの無線フレーム（ｒａｄｉｏ ｆｒａｍｅ）中の第Ｍ個目のサブフレームを含み、ここで、Ｎは１より小さくなく、Ｍは１より大きい且つＰより小さく、Ｐは１無線フレームに含まれるサブフレームの数である、
ことを特徴とする請求項１８記載のネットワーク装置。
【請求項２５】
前記送信モジュールは、さらに上位レイヤシグナリングにより前記予め定められたサブフレーム集合の情報を端末装置に送信する、
ことを特徴とする請求項２４記載のネットワーク装置。
【請求項２６】
予め定められた１つのサブフレーム集合中の少なくとも１つのサブフレームにてダウンリンク物理制御チャネル（ＰＤＣＣＨ）または拡張ダウンリンク物理制御チャネル（ＥＰＤＣＣＨ）を検出し、前記ＰＤＣＣＨまたはＥＰＤＣＣＨは時分割復信ＴＤＤアップリンク/ダウンリンクの構成情報を含むダウンリンク制御情報（ＤＣＩ）を搬送する検出モジュールと、
検出されたＤＣＩから前記ＴＤＤアップリンク/ダウンリンクの構成情報を取得する取得モジュールと、
を含むことを特徴とする端末装置。
【請求項２７】
前記ＴＤＤアップリンク/ダウンリンクの構成情報は、前記ＤＣＩ中の複数のビットにより示される、
ことを特徴とする請求項２６記載の端末装置。
【請求項２８】
前記複数のビットが前記ＤＣＩ中の３ビットである場合、第３世代の移動体通信システムの標準化プロジェクト（３ＧＰＰ）進化型ユニバーサル地上無線アクセス（Ｅ−ＵＴＲＡ）にてサポートされる７種類のＴＤＤアップリンク/ダウンリンクの構成中のいずれのＴＤＤアップリンク/ダウンリンクの構成は、前記３ビットにより示され、
前記複数のビットが前記ＤＣＩ中の２ビットである場合、３ＧＰＰ  Ｅ−ＵＴＲＡにてサポートされる４種類の５ｍｓ周期のＴＤＤアップリンク/ダウンリンクの構成中のいずれのＴＤＤアップリンク/ダウンリンクの構成は、前記２ビットにより示され、
前記複数のビットが前記ＤＣＩ中の２ビットである場合、ＴＤＤアップリンク/ダウンリンクの構成集合内のいずれのＴＤＤアップリンク/ダウンリンクの構成は前記２ビットにより示され、ここで、前記ＴＤＤアップリンク/ダウンリンクの構成情報集合は、３ＧＰＰ  Ｅ−ＵＴＲＡにてサポートされる最大４種類のアップリンク/ダウンリンクの構成を含む、
ことを特徴とする請求項２７記載の端末装置。
【請求項２９】
前記ＤＣＩは、前記複数のビットとは異なるＸ個の予め定められたビットをさらに含み、前記Ｘ個の予め定められたビットと、前記ＴＤＤアップリンク/ダウンリンクの構成情報を示す複数のビットと、の長さの合計は、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の任意の１つのＤＣＩの長さと等しく、ここで、Ｘは１以上であり、
または、
前記ＤＣＩは、前記複数のビットとは異なるＹ個の予め定められたビットをさらに含み、前記Ｙ個の予め定められたビットは、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の少なくとも１つのＤＣＩの全ての情報を示し、ここで、Ｙは１以上であり、
または、
前記ＤＣＩは、前記複数のビットとは異なるＺ個の予め定められたビットをさらに含み、前記Ｚ個の予め定められたビットと、前記ＴＤＤアップリンク/ダウンリンクの構成情報の複数のビットと、の長さの合計は、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の最短ＤＣＩの長さより短く、ここで、Ｚは０以上である、
ことを特徴とする請求項２７記載の端末装置。
【請求項３０】
前記ＤＣＩに含まれる予め定められたビットは、全ビットが０の予め定められたビット又はオール１の予め定められたビットである、
ことを特徴とする請求項２９記載の端末装置。
【請求項３１】
前記ＰＤＣＣＨまたはＥＰＤＣＣＨとは、共通検出空間中のＰＤＣＣＨまたはＥＰＤＣＣＨを指し、
または、
前記ＰＤＣＣＨまたはＥＰＤＣＣＨは、集合レベルがＳ以上のＰＤＣＣＨまたはＥＰＤＣＣＨを指し、ここで、Ｓ＞１であり、
または、
前記ＰＤＣＣＨまたはＥＰＤＣＣＨは、指定の１つの論理番号または指定の複数の論理番号中の１つの論理番号を有するＰＤＣＣＨまたはＥＰＤＣＣＨである、
ことを特徴とする請求項２６記載の端末装置。
【請求項３２】
前記予め定められた１つのサブフレーム集合は、Ｎ個ずつの無線フレーム（ｒａｄｉｏ ｆｒａｍｅ）中の第Ｍ個目のサブフレームを含み、ここで、Ｎは１より小さくなく、Ｍは１より大きい且つＰより小さく、Ｐは１無線フレームに含まれるサブフレームの数である、
ことを特徴とする請求項２６記載の端末装置。
【請求項３３】
前記検出モジュールは、さらにネットワーク装置が上位レイヤシグナリングにより前記端末装置に通知した、予め定められたサブフレーム集合の情報を受信する、
ことを特徴とする請求項３２記載の端末装置。
【請求項３４】
前記検出モジュールは、最大尤度検出アルゴリズムを用い、予め定められた１つのサブフレーム集合中の少なくとも１つのサブフレームにてＴＤＤアップリンク/ダウンリンクの構成情報を含んだＤＣＩを搬送するためのＰＤＣＣＨまたはＥＰＤＣＣＨを検出する、
ことを特徴とする請求項２６記載の端末装置。
【発明の詳細な説明】
【技術分野】
【０００１】
本発明は、通信技術分野に関し、特にアップリンク/ダウンリンクの構成情報の送信方法及び装置に関する。
【背景技術】
【０００２】
本出願は、２０１３年４月３日に中国特許局に提出し、出願番号が２０１３１０１１６４０９．５であり、発明名称が「アップリンク/ダウンリンクの構成情報の送信方法及び装置」との中国特許出願を基礎とする優先権を主張し、その開示の総てをここに取り込む。
ＤＣＩ（Ｄｏｗｎｌｉｎｋ Ｃｏｎｔｒｏｌ Ｉｎｆｏｒｍａｔｉｏｎ、ダウンリンク制御情報）はＰＤＣＣＨ（Ｐｈｙｓｉｃａｌ Ｄｏｗｎｌｉｎｋ Ｃｏｎｔｒｏｌ Ｃｈａｎｎｅｌ、ダウンリンク物理制御チャネル）に搬送され、アップリンク又はダウンリンクのスケジューリング情報、及び関連の共通制御情報の効果的な送信に用いられる。現在ＬＴＥ（Ｌｏｎｇ Ｔｅｒｍ Ｅｖｏｌｕｔｉｏｎ、長期的進化）システムでは１０種類のＤＣＩフォーマットが定義され、各ＤＣＩフォーマットの主要な機能を表１に示す。また、ＤＣＩのチャネル符号化において、ＤＣＩビットは、まずＣＲＣ（Ｃｙｃｌｉｃａｌ Ｒｅｄｕｎｄａｎｃｙ Ｃｈｅｃｋ、巡回冗長検査）検査により、ＣＲＣチェック情報を付加し、そしてＲＮＴＩ（Ｒａｄｉｏ Ｎｅｔｗｏｒｋ Ｔｅｍｐｏｒａｒｙ Ｉｄｅｎｔｉｔｙ、無線ネットワーク一時的識別子）にてＣＲＣチェック情報ビットに対しスクランブリングを行い、そしてＤＣＩビットに対しチャネル符号化を行い、チャネル符号化の後にＤＣＩビットに対しレートマッチングを行う。
【０００３】
【表１】
2016514920.tif 000003
【０００４】
異なるＤＣＩフォーマットが果たす機能に基づき、これらのＤＣＩフォーマットは更に４つのカテゴリに分けられる。すなわち、アップリンクＰＵＳＣＨスケジューリングのＤＣＩフォーマット（例えば、ＤＣＩフォーマット０）、ダウンリンクＰＤＳＣＨスケジューリングのＤＣＩフォーマット（例えば、ＤＣＩフォーマット１、１Ａ、１Ｂ、１Ｄ、２、２Ａ）、スケジューリング共通制御情報のＤＣＩフォーマット（例えば、ＤＣＩフォーマット１Ａ、１Ｃ）、スケジューリングマルチキャスト電力制御情報のＤＣＩフォーマット（例えば、ＤＣＩフォーマット３、３Ａ）。
【０００５】
ＰＤＣＣＨはＤＣＩを搬送するために用いられ、ＤＣＩはダウンリンクとアップリンクデータ送信のスケジューリング情報やアップリンク電力制御情報等を含む。ＰＤＣＣＨの物理層処理のフローは図１に示す通りである。ＰＤＣＣＨの設計はマルチユーザリソース共有方式を採用しており、端末装置はダウンリンクサブフレームの制御領域全体において所定のルールにより制御シグナリングを検出する必要がある。ＰＤＣＣＨチャネルに搬送されたＤＣＩにおいて、端末装置のＣ−ＲＮＴＩ(Ｃｅｌｌ ＲａｄｉｏＮｅｔｗｏｒｋ Ｔｅｍｐｏｒａｒｙ Ｉｄｅｎｔｉｔｙ、セル無線ネットワーク一時的識別子）を１６ｂｉｔｓ  ＣＲＣ系列にスクランブリングすることにより、暗黙的な方式でこのＤＣＩが送信するターゲットユーザを識別する。次のダウンリンクサブフレーム内において、複数のＤＣＩは並行して符号化及びレートマッチング処理を行い、符号化ビットを多重化してからスクランブル、変調及びインターリーブ等の操作を共に行なう。
【０００６】
リンクアダプテーションをサポートし、端末装置の検出複雑さを極力低減させるために、ＰＤＣＣＨリソースマッピング設計は、ＣＣＥ（Ｃｏｎｔｒｏｌ Ｃｈａｎｎｅｌ Ｅｌｅｍｅｎｔ、制御チャネルエレメント）を単位とし、なお１つのＣＣＥは９個のＲＥＧ（Ｒｅｓｏｕｒｃｅ Ｅｌｅｍｅｎｔ Ｇｒｏｕｐ、リソースエレメントグループ）から構成されており、すなわち３６個のＲＥ（Ｒｅｓｏｕｒｃｅ Ｅｌｅｍｅｎｔ、リソース粒子）から構成される。さらに、搬送されたＤＣＩビットの長さ及びチャネル状況に応じて、基地局装置は１個、２個、４個、または８個のＣＣＥを使用して１個のＤＣＩを搬送するように選択することができる。１、２、４、または８をＣＣＥ集合レベルと称し、例えば１をＣＣＥ集合レベル１と称する。端末装置は制御領域においてＤＣＩが位置するＣＣＥの開始位置を検出する必要があるだけでなく、基地局装置が使用するＣＣＥ集合レベルも検出しなければならず、その処理をＰＤＣＣＨブラインド検出と称す。
【０００７】
端末装置が行うＰＤＣＣＨブラインド検出の対象となるＣＣＥリソース集合をＰＤＣＣＨ検出空間と称し、規格においては共通検出空間（ｃｏｍｍｏｎ  ｓｅａｒｃｈ  ｓｐａｃｅ）及び専用検出空間（ｓｐｅｃｉｆｉｃ  ｓｅａｒｃｈ  ｓｐａｃｅ）が定義されている。共通検出空間はセル内の全ての端末装置によって共有されるものであり、１つのサブフレームの第１のＣＣＥから始まる。この共通検出空間内の端末装置はＣＣＥ集合レベルの４及び８を試みる必要がある。専用検出空間は各端末装置に対応するものであり、考え得るすべてのＣＣＥ集合レベルを含む。１つのＣＣＥ集合レベルの下で、端末装置の専用検出空間の開始位置はサブフレーム番号、端末装置のＲＮＴＩなどで共通に決まり、図２に示すＰＤＣＣＨブラインド検出概要図の通りである。なお、図２に示すように、規格においては端末装置がブラインド検出を行うべき候補のＰＤＣＣＨ位置の数が定義されている。各候補のＰＤＣＣＨ位置に対し、端末装置は２つの異なる長さタイプのＤＣＩの復号を試みる必要があるため、１つのダウンリンクサブフレーム内において、端末装置は合計４４回のブラインド検出を行う必要がある。
【０００８】
【表２】
2016514920.tif 000004
【０００９】
ＴＤＤ（Ｔｉｍｅ Ｄｉｖｉｓｉｏｎ Ｄｕｐｌｅxｉｎｇ、時分割複信）システムにおいて，アップリンク/ダウンリンクの送信は，同じ周波数リソースを用い、異なるタイムスロットにおいてアップリンク又はダウンリンク信号を送信する。図３はＬＴＥ  ＴＤＤシステムにおけるフレーム構成を示し、そのアップリンク/ダウンリンクのサブフレーム割り当て方式は表３に示す７種類のダウンリンクアップリンク/ダウンリンク構成をサポートする。
【００１０】
【表３】
2016514920.tif 000005
【発明の概要】
【発明が解決しようとする課題】
【００１１】
技術の急速な発展に伴い、より多くのマイクロセル(ｓｍａｌｌ ｃｅｌｌ)、ファミリー基地局等の低電力基地局装置が局部のカバーを供給するように配置され、これらの低電力基地局がカバーするセルをｓｍａｌｌ ｃｅｌｌ（小小セル）と称す。小小セル中のユーザ数は少なく、かつユーザのサービス需要の変化が大きいため、小小セルのアップリンク/ダウンリンクのサービス割合需要は動的に変化する場合がある。そのため、基地局装置は頻繁に端末装置にＴＤＤアップリンク/ダウンリンクの構成情報を示す必要があるが、従来技術においては端末装置に対してＴＤＤアップリンク/ダウンリンクの構成情報を示す方式が存在しない。
【００１２】
本発明の実施例はアップリンク/ダウンリンクの構成情報伝送方法及び装置を提供し、端末装置に対してＴＤＤアップリンク/ダウンリンクの構成情報を示し、なおＤＣＩ検出の正確性を向上させる。
【課題を解決するための手段】
【００１３】
本発明に係る一実施例が提供するアップリンク/ダウンリンクの構成情報送信方法は、ネットワーク装置は、時分割複信（ＴＤＤ）アップリンク/ダウンリンクの構成情報を含むダウンリンク制御情報（ＤＣＩ）を生成するステップと、前記ネットワーク装置は、ダウンリンク物理制御チャネル（ＰＤＣＣＨ）または拡張ダウンリンク物理制御チャネル（ＥＰＤＣＣＨ）を用い、前記ＴＤＤアップリンク/ダウンリンクの構成情報を含むＤＣＩを搬送するステップと、前記ネットワーク装置は、予め定められた１つのサブフレーム集合中の少なくとも１つのサブフレームにて前記ＰＤＣＣＨ又はＥＰＤＣＣＨを送信するステップとを備える。
【００１４】
前記ネットワーク装置が時分割複信（ＴＤＤ）アップリンク/ダウンリンクの構成情報を含むダウンリンク制御情報チャネルＤＣＩを生成することは、前記ネットワーク装置は、前記ＴＤＤアップリンク/ダウンリンクの構成情報を含むＤＣＩを生成し、かつ、前記ＴＤＤアップリンク/ダウンリンクの構成情報は前記ＤＣＩ中の複数のビットにより示されることを含む。
【００１５】
前記ＤＣＩは、前記複数のビットとは異なるＸ個の予め定められたビットをさらに含み、前記Ｘ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の任意の１つのＤＣＩの長さと等しく、ここで、Ｘは１以上であり、または、
前記ＤＣＩは、前記複数のビットとは異なるＹ個の予め定められたビットをさらに含み、前記Ｙ個の予め定められたビットは、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の少なくとも１つのＤＣＩの全ての情報を示し、ここで、Ｙは１以上であり、または、
前記ＤＣＩは、前記複数のビットとは異なるＺ個の予め定められたビットをさらに含み、前記Ｚ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の最短ＤＣＩの長さより短く、ここで、Ｚは０以上である、
【００１６】
本発明に係る別の一実施例が提供する構成情報送信方法は、端末装置は予め定められた１つのサブフレーム集合中の少なくとも１つのサブフレームにてダウンリンク物理制御チャネル（ＰＤＣＣＨ）または拡張ダウンリンク物理制御チャネル（ＥＰＤＣＣＨ）を検出し、前記ＰＤＣＣＨまたはＥＰＤＣＣＨは時分割復信ＴＤＤアップリンク/ダウンリンクの構成情報を含むダウンリンク制御信号ＤＣＩを搬送するステップと、前記端末装置は検出されたＤＣＩから前記ＴＤＤアップリンク/ダウンリンクの構成情報を取得するステップとを備える。
【００１７】
本発明に係る別の一実施例が提供するネットワーク装置は、
時分割複信（ＴＤＤ）アップリンク/ダウンリンクの構成情報を含むダウンリンク制御情報（ＤＣＩ）を生成するための生成モジュールと、１つのダウンリンク物理制御チャネル（ＰＤＣＣＨ）または１つの拡張ダウンリンク物理制御チャネル（ＥＰＤＣＣＨ）を用い前記ＴＤＤアップリンク/ダウンリンクの構成情報を含んだＤＣＩを搬送するための処理モジュールと、予め定められた１つのサブフレーム中の少なくとも１つのサブフレームにて前記ＰＤＣＣＨ又はＥＰＤＣＣＨを送信するための送信モジュールとを含む。
【００１８】
本発明に係る別の一実施例が提供する端末装置は、
予め定められた１つのサブフレーム集合中の少なくとも１つのサブフレームにてダウンリンク物理制御チャネル（ＰＤＣＣＨ）または拡張ダウンリンク物理制御チャネル（ＥＰＤＣＣＨ）を検出し、前記ＰＤＣＣＨまたはＥＰＤＣＣＨは時分割復信ＴＤＤアップリンク/ダウンリンクの構成情報を含むダウンリンク制御情報（ＤＣＩ）を搬送する検出モジュールと、検出されたＤＣＩから前記ＴＤＤアップリンク/ダウンリンクの構成情報を取得する取得モジュールとを含む。
【発明の効果】
【００１９】
本発明の実施例において、ネットワーク装置はＤＣＩを介して端末装置にＴＤＤアップリンク/ダウンリンクの構成情報を示し、なおＤＣＩ中の複数のビットによりＴＤＤアップリンク/ダウンリンクの構成情報を示すことを約定し、これにより端末装置が最大尤度検出アルゴリズム（ｍａｘｉｍｕｍ  ｌｉｋｅｌｉｈｏｏｄ  ｄｅｔｅｃｔｉｏｎ  ａｌｇｏｒｉｔｈｍ）を用いＤＣＩ検出を行う際の、最大尤度検出アルゴリズムの複雑さを低減し、ＤＣＩ検出の正確性を向上させることで、端末装置は最大尤度検出アルゴリズムを採用することにより最適な検出性能を得ることができる。さらに、ＰＤＣＣＨ又はＥＰＤＣＣＨにおけるＤＣＩを物理的リソースＲＥにマッピングする方法を用い、端末装置が特定ＤＣＩ（ＴＤＤアップリンクダウンリンクの構成を示すのに用いられる）を検索する複雑さを低減し、検索効率を向上することができる。
【００２０】
本発明の技術案をより明確に説明するために、以下に実施例の説明において用いられる図面を簡単に紹介し、当然然なことに、以下の説明においての図面は、本発明の一部の実施例に過ぎず、当業者は創造性労働を要しないことを前提に、これらの図面に基づいて他の図面を得ることができる。
【図面の簡単な説明】
【００２１】
【図１】従来技術に係るＰＤＣＣＨ物理層処理の流れを示す図
【図２】従来技術に係るＰＤＣＣＨブラインド検出を示す図
【図３】従来技術に係るＬＴＥ  ＴＤＤシステム中のフレーム構成を示す図
【図４】本発明の一実施例に係るアップリンク/ダウンリンクの構成情報の伝送方法の流れを示す図
【図５】本発明の一実施例に係るネットワーク装置の構成を示す図
【図６】本発明の一実施例に係る端末装置の構成を示す図
【図７】本発明の別の一実施例に係るネットワーク装置の構成を示す図
【図８】本発明の別の一実施例に係る端末装置の構成を示す図
【発明を実施するための形態】
【００２２】
以下、本発明に係る図面を参照し、本発明に係る技術案に対し明確、完全な記述を行うが、当然なことに、記述される実施例は本発明の実施例の一部に過ぎず、すべての実施例ではない。本発明に係る実施例に基づき、当業者は創造的な労働を要しないことを得られたすべての他の実施例は、いずれも本発明の保護の範囲に属す。
【００２３】
従来技術に存在する問題点に鑑みて、本発明の一実施例はアップリンク/ダウンリンクの構成情報の送信方法を提供し、当該アップリンク/ダウンリンクの構成情報はＴＤＤアップリンク/ダウンリンクの構成情報であって良い。図４に示すように、当該方法は以下のステップを含む。
【００２４】
ステップ４０１において、ネットワーク装置はＴＤＤアップリンク/ダウンリンクの構成情報を含むＤＣＩを生成する。当該ネットワーク装置は基地局装置、ｅＮＢ及びＲＮＣ（Ｒａｄｉｏ  Ｎｅｔｗｏｒｋ  Ｃｏｎｔｒｏｌｌｅｒ、無線ネットワークコントローラ）等であって良い。
【００２５】
本発明の実施例において、ネットワーク装置はＴＤＤアップリンク/ダウンリンクの構成情報を含むＤＣＩを生成することは具体的には、例えば、ネットワーク装置はＴＤＤアップリンク/ダウンリンクの構成情報を含むＤＣＩを生成し、なお、ＴＤＤアップリンク/ダウンリンクの構成情報はＤＣＩ中の複数のビットにより示され、前記複数のビットは２ビットまたは３ビットであって良い、ことを含み、ただしこれだけに限らない。
【００２６】
ＴＤＤアップリンク/ダウンリンクの構成情報はＤＣＩ中の複数のビットにより示されることは、具体的には下記のような方法１と、方法２と、方法３とを含む。
【００２７】
方法１
複数のビットがＤＣＩ中の３ビット（すなわちＤＣＩにおいてＴＤＤアップリンク/ダウンリンクの構成情報を示すためのビット数が３）である場合に、３ＧＰＰ（３ｒｄ Ｇｅｎｅｒａｔｉｏｎ Ｐａｒｔｎｅｒｓｈｉｐ Ｐｒｏjｅｃｔ、第３世代の移動体通信システムの標準化プロジェクト）Ｅ−ＵＴＲＡ（Ｅｖｏｌｖｅｄ Ｕｎｉｖｅｒｓａｌ Ｔｅｒｒｅｓｔｒｉａｌ Ｒａｄｉｏ Ａｃｃｅｓｓ、進化型ユニバーサル地上無線アクセス）にてサポートされる７種類のＴＤＤアップリンク/ダウンリンクの構成（表３の７種類のＴＤＤアップリンク/ダウンリンクの構成）中のいずれのＴＤＤアップリンク/ダウンリンクの構成はこの３ビットにより示される。
【００２８】
方法２
複数のビットがＤＣＩ中の２ビット（すなわちＤＣＩにおいてＴＤＤアップリンク/ダウンリンクの構成情報を示すためのビット数が２）である場合に、３ＧＰＰ  Ｅ−ＵＴＲＡにてサポートされる４種類の５ｍｓ周期のＴＤＤアップリンク/ダウンリンクの構成（すなわち表３の４種類の５ｍｓ周期のＴＤＤアップリンク/ダウンリンクの構成）中のいずれのＴＤＤアップリンク/ダウンリンクの構成はこの２ビットにより示される。
【００２９】
方法３、複数のビットがＤＣＩ中の２ビット（すなわちＤＣＩにおいてＴＤＤアップリンク/ダウンリンクの構成情報を示すためのビット数が２）である場合に、ＴＤＤアップリンク/ダウンリンクの構成集合中のいずれのＴＤＤアップリンク/ダウンリンクの構成はこの２ビットにより示される。そのうち、ＴＤＤアップリンク/ダウンリンクの構成集合は３ＧＰＰ  Ｅ−ＵＴＲＡにてサポートされている最多４種類のＴＤＤアップリンク/ダウンリンクの構成を含み、なお当該ＴＤＤアップリンク/ダウンリンクの構成集合は上位レイヤのシグナリングに基づいて設定される。例えば、上位レイヤシグナリングにより、現在のＴＤＤアップリンク/ダウンリンクの構成集合が３ＧＰＰ  Ｅ−ＵＴＲＡにてサポートされている５ｍｓ周期のＴＤＤアップリンク/ダウンリンクの構成であると示された場合には、この２ビットにより３ＧＰＰ  Ｅ−ＵＴＲＡにてサポートされる４種類の５ｍｓ周期のＴＤＤアップリンク/ダウンリンクの構成中のいずれかのＴＤＤアップリンク/ダウンリンクの構成を示す。もし上位レイヤシグナリングにより、現在のＴＤＤアップリンク/ダウンリンクの構成集合が３ＧＰＰ  Ｅ−ＵＴＲＡにてサポートされる１０ｍｓ周期のＴＤＤアップリンク/ダウンリンクの構成であると示された場合には、この２ビットにより３ＧＰＰ  Ｅ−ＵＴＲＡにてサポートされる３種類の１０ｍｓ周期のＴＤＤアップリンク/ダウンリンクの構成中のいずれかのＴＤＤアップリンク/ダウンリンクの構成を示す。
【００３０】
本発明の実施例に記載のＴＤＤアップリンク/ダウンリンクの構成情報を搬送するためのＤＣＩは、従来のＤＣＩフォーマット又は従来のＤＣＩフォーマットとは異なるＤＣＩフォーマットを使っても良い。ただし、従来のＤＣＩフォーマットとは異なるＤＣＩフォーマットの長さは従来ＤＣＩフォーマットの長さと同じ、もしくは異なる。
【００３１】
従来のＤＣＩフォーマットを用いる場合には、長さのより短いＤＣＩフォーマット、例えばＤＣＩ  Fｏｒｍａｔ１Ｃを使って良い。従来のＤＣＩフォーマットとは異なるＤＣＩフォーマット（すなわち新ＤＣＩフォーマット）を用いる場合に、もし新ＤＣＩフォーマットと従来ＤＣＩフォーマットの長さが同一であれば、ＰＤＣＣＨまたはＥＰＤＣＣＨブラインド検出の複雑さの増加を回避することができる。もし新ＤＣＩフォーマットの長さが従来ＤＣＩフォーマットの長さより長ければ、例えば新ＤＣＩフォーマットの長さがアップリンク/ダウンリンクの構成のビット数と従来ＤＣＩフォーマットの長さとの和であれば、新ＤＣＩフォーマットはアップリンク/ダウンリンクの構成情報を示すことができるだけではなく、従来ＤＣＩフォーマットの指示機能も実現することができる。もし新ＤＣＩフォーマットの長さが従来ＤＣＩフォーマットの長さ未満であれば、ＤＣＩの指示効率を向上させることができ、なおこの状況はＰＤＣＣＨ又はＥＰＤＣＣＨ中のＤＣＩを物理リソースＲＥにマッピングする技術案に適用することができる。
【００３２】
留意すべきは、従来ＤＣＩフォーマットを用いる場合には、ＤＣＩに含まれる情報を区別するために、新たなＲＮＴＩをさらに導入する必要があり、この新たなＲＮＴＩはＤＣＩに携帯されている関連コンテンツがＴＤＤアップリンク/ダウンリンクの構成情報であることを示す。従来ＤＣＩフォーマットの長さと同じの新ＤＣＩフォーマットを用いる場合には、ＤＣＩに含まれる情報を区別するために、新たなＲＮＴＩをさらに導入する必要があり、この新たなＲＮＴＩはＤＣＩに携帯されている関連コンテンツがＴＤＤアップリンク/ダウンリンクの構成情報であることを示す。
【００３３】
本発明の一実施例において、ＤＣＩは、前記複数のビットとは異なるＸ（Ｘは１以上である）個の予め定められたビットをさらに含む。このＸ個の予め定められたビットと、ＴＤＤアップリンク/ダウンリンクの構成情報を示す複数のビットとの長さの合計は、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の任意の１つのＤＣＩの長さと等しい。
【００３４】
本発明の別の一実施例において、ＤＣＩは、前記複数のビットとは異なるＹ（Ｙは１以上である）個の予め定められたビットをさらに含む。このＹ個の予め定められたビットは、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の少なくとも１つのＤＣＩの全ての情報を示す。
【００３５】
他の一実施例において、ＤＣＩは、前記複数のビットとは異なるＺ（Ｚは０以上である）個の予め定められたビットをさらに含む。このＺ個の予め定められたビットと、ＴＤＤアップリンク/ダウンリンクの構成情報を示す複数のビットとの長さの合計は、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の最短ＤＣＩの長さより短い。
【００３６】
留意すべきは、本発明の実施例において、上記ＤＣＩに含まれる予め定められたビットは具体的には、全ビットが０の予め定められたビット又は全ビットが１の予め定められたビットである。
【００３７】
ステップ４０２において、ネットワーク装置はＰＤＣＣＨまたはＥＰＤＣＣＨ（Ｅｎｈａｎｃｅｄ Ｐｈｙｓｉｃａｌ Ｄｏｗｎｌｉｎｋ Ｃｏｎｔｒｏｌ Ｃｈａｎｎｅｌ、拡張ダウンリンク物理制御チャネル）を利用して、ＴＤＤアップリンク/ダウンリンクの構成情報を含むＤＣＩを搬送する。当該ＤＣＩはＴＤＤアップリンク/ダウンリンクの構成情報を示すのに用いられる。
【００３８】
本発明の一実施例において、ＰＤＣＣＨまたはＥＰＤＣＣＨは、共通検出空間におけるＰＤＣＣＨまたはＥＰＤＣＣＨのことを指す。別の一実施例において、ＰＤＣＣＨまたはＥＰＤＣＣＨは集合レベルがＳ以上のＰＤＣＣＨまたはＥＰＤＣＣＨのことを指し、ここでＳ＞１である。
【００３９】
また、別の一実施例において、ＰＤＣＣＨまたはＥＰＤＣＣＨは、指定の１つの論理番号または指定の複数の論理番号中の１つの論理番号を有するＰＤＣＣＨまたはＥＰＤＣＣＨのことを指す。ここで、上記の実施例により、端末装置のブラインド検出の回数を減らすことができ、場合によって強いてはＴＤＤアップリンク/ダウンリンクの構成情報を含むＤＣＩを直接検出することができる。
【００４０】
ここで、ＰＤＣＣＨ又はＥＰＤＣＣＨが集合レベルＳ以上のＰＤＣＣＨ又はＥＰＤＣＣＨであるとは、ＴＤＤアップリンク/ダウンリンクの構成情報を示すＤＣＩが一部のＣＣＥ集合レベルのみを採用し、場合によっては１種のＣＣＥ集合レベルのみを採用することを指す。ＴＤＤアップリンク/ダウンリンクの構成情報を示すＤＣＩが１種のＣＣＥ集合レベルのみ使う場合には、一般的に最高のＣＣＥ集合レベルを選ぶことにより、いかなるシーンの送信品質を確保する。例えば、ＴＤＤアップリンク/ダウンリンクの構成情報が共通検出空間のみで送信される場合、ＣＣＥ集合レベル８を採用することができる。もしＴＤＤアップリンク/ダウンリンクの構成がカバー範囲の比較的に小さい低電力ノードのみにを用いられる場合には、ＣＣＥ集合レベル４を採用しても良い。
【００４１】
ここで、ＰＤＣＣＨ又はＥＰＤＣＣＨが特定の論理番号を有するＰＤＣＣＨ又はＥＰＤＣＣＨであるとは、ＴＤＤアップリンク/ダウンリンクの構成情報を示すＤＣＩが一部のＰＤＣＣＨまたはＥＰＤＣＣＨ位置のみを採用し、場合によっては唯一の位置であることを指す。例えばＴＤＤアップリンク/ダウンリンクの構成情報を示すＤＣＩは各ＣＣＥ集合レベルの第Ｎ個目のＰＤＣＣＨ又はＥＰＤＣＣＨ位置のみにマッピングされ、Ｎは、最小の候補ＰＤＣＣＨ又はＥＰＤＣＣＨ位置より大きくなく、通常Ｎは１であり、これにより不必要なＰＤＣＣＨ又はＥＰＤＣＣＨのリソースの浪費を回避する。また、例えば、ＴＤＤアップリンク/ダウンリンクの構成情報を示すＤＣＩは、あるＣＣＥ集合レベルの第Ｎ個目のＰＤＣＣＨ又はＥＰＤＣＣＨ位置にマッピングされ、ここで、Ｎは、当該ＣＣＥ集合レベルの候補ＰＤＣＣＨ又はＥＰＤＣＣＨ位置より大きくなく、通常Ｎは１である。これにより不必要なＰＤＣＣＨ又はＥＰＤＣＣＨのリソースの浪費を回避する。また、例えば、ＴＤＤアップリンク/ダウンリンクの構成情報を示すＤＣＩは、ある検出空間のあるＣＣＥ集合レベルの第Ｎ個目のＰＤＣＣＨ又はＥＰＤＣＣＨ位置にマッピングされ、Ｎは、当該ＣＣＥ集合レベルの候補ＰＤＣＣＨ又はＥＰＤＣＣＨ位置より大きくない。例えば、ＴＤＤアップリンク/ダウンリンクの構成情報を示すＤＣＩは共通検出空間のＣＣＥ集合レベル４の第１個目のＰＤＣＣＨ又はＥＰＤＣＣＨ位置にマッピングされることができる。
【００４２】
ステップ４０３において、ネットワーク装置は予め定められた１つのサブフレーム集合中の少なくとも１つのサブフレームにてＰＤＣＣＨまたはＥＰＤＣＣＨを送信する。具体的には、ネットワーク装置は予め１つのサブフレームを定め、なお、予め定められた１つのサブフレーム集合中の少なくとも１つのサブフレームにてＰＤＣＣＨまたはＥＰＤＣＣＨを送信する。ここで、ネットワーク装置が予め定めた１つのサブフレーム集合はネットワーク装置自体が定めた１つのサブフレーム集合であって良く、または規格において予め約定した１つのサブフレーム集合であるか、または上位レイヤより通知された１つのサブフレーム集合でも良い。
【００４３】
本発明の実施例において、ネットワーク装置が予め定めた１つのサブフレーム集合は、具体的には、例えばＮ個ずつの無線フレーム(ｒａｄｉｏ ｆｒａｍｅ）中の第Ｍ個目のサブフレームであって良く、ただしこれに限らない。上記において、Ｎは１より小さくなく、Ｍは１より大きい且つＰより小さく、Ｐは１無線フレームに含まれるサブフレームの数である。例えば、Ｎ＝１、Ｍ＝３の場合、ネットワーク装置が予め定めたサブフレーム集合は各無線フレームの第３サブフレームである。Ｎ＝２、Ｍ＝３の場合、ネットワーク装置が予め定めたサブフレーム集合は、２つずつの無線フレームの第３サブフレームである。
【００４４】
本発明の実施例において、ネットワーク装置が１つのサブフレーム集合を予め定めた後、ネットワーク装置はさらに上位レイヤシグナリングにより予め定めたサブフレーム集合の情報を端末装置に送信することができる。
【００４５】
ステップ４０４において、端末装置が予め定められた１つのサブフレーム集合中の少なくとも１つのサブフレームでＰＤＣＣＨ又はＥＰＤＣＣＨを検出し、さらに検出されたＤＣＩの中からＴＤＤアップリンク/ダウンリンクの構成情報を取得する。ここで、当該ＰＤＣＣＨ又はＥＰＤＣＣＨはＴＤＤアップリンク/ダウンリンクの構成情報を含むＤＣＩを搬送するのに用いる。
【００４６】
本発明の実施例において、ＴＤＤアップリンク/ダウンリンクの構成情報はＤＣＩ中の複数のビットにより示される。ここでＴＤＤアップリンク/ダウンリンクの構成情報がＤＣＩ中の複数のビットにより示されることは、具体的には下記のような方法１と、方法２と、方法３とを含む。
【００４７】
方式１
複数のビットがＤＣＩ中の３ビットである場合、３ＧＰＰ  Ｅ−ＵＴＲＡにてサポートされる７種類のＴＤＤアップリンク/ダウンリンクの構成中のいずれかのＴＤＤアップリンク/ダウンリンクの構成は、３ビットにより示される。
【００４８】
方式２
複数のビットがＤＣＩ中の２ビットである場合、３ＧＰＰ  Ｅ−ＵＴＲＡにてサポートされる４種類の５ｍｓ周期のＴＤＤアップリンク/ダウンリンクの構成中の１種のＴＤＤアップリンク/ダウンリンクの構成は、２ビットにより示される。
【００４９】
方式３として、複数のビットがＤＣＩ中の２ビットである場合、ＴＤＤアップリンク/ダウンリンクの構成集合内のいずれかのＴＤＤアップリンク/ダウンリンクの構成は、２ビットにより示される。ここで、ＴＤＤアップリンク/ダウンリンクの構成集合は、３ＧＰＰ  Ｅ−ＵＴＲＡにてサポートされる４種類のＴＤＤアップリンク/ダウンリンクの構成を含む。
【００５０】
本発明の一実施例において、ＤＣＩは、前記複数のビットとは異なるＸ個の予め定められたビットをさらに含み、当該Ｘ個の予め定められたビットと、ＴＤＤアップリンク/ダウンリンクの構成情報を示す複数のビットと、の長さの合計は３ＧＰＰＥ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の任意の１つのＤＣＩの長さと等しく、ここで、Ｘは１以上である。
【００５１】
別の一実施例において、ＤＣＩは、前記複数のビットとは異なるＹ個の予め定められたビットをさらに含み、当該Ｙ個の予め定められたビットは、３ＧＰＰＥ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の少なくとも１つのＤＣＩのすべての情報を示し、ここで、Ｙは１以上である。
【００５２】
本発明の一実施例において、ＤＣＩは、前記複数のビットとは異なるＺ個の予め定められたビットをさらに含み、当該Ｚ個の予め定められたビットと、ＴＤＤアップリンク/ダウンリンクの構成情報を示す複数のビットと、の長さの合計は、３ＧＰＰＥ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の最短ＤＣＩの長さより短く、ここで、Ｚは０以上である。
【００５３】
なお、ＤＣＩに含まれる予め定められたビットは具体的には、全ビットが０の予め定められたビット又は全ビット１の予め定められたビットである。
【００５４】
一実施例において、ＰＤＣＣＨまたはＥＰＤＣＣＨは、共通検出空間中のＰＤＣＣＨ又はＥＰＤＣＣＨを指す。別の一実施例において、ＰＤＣＣＨ又はＥＰＤＣＣＨは、集合レベルがＳ以上のＰＤＣＣＨ又はＥＰＤＣＣＨを指し、ただしＳは１より大きい。別の一実施例において、ＰＤＣＣＨ又はＥＰＤＣＣＨは指定された１つの論理番号または指定された複数の論理番号中の１つの論理番号を有するＰＤＣＣＨ又はＥＰＤＣＣＨを指す。
【００５５】
本発明の実施例において、端末装置は予め定められた１つのサブフレーム中の少なくとも１つのサブフレームにてＴＤＤアップリンク/ダウンリンクの構成情報を含んだＤＣＩを搬送するためのＰＤＣＣＨまたはＥＰＤＣＣＨを検出し、具体的には下記通りであり、ただしこれに限らない。例えば、端末装置は１つのサブフレーム集合を予め定め、予め定めた１つのサブフレーム集合中の少なくとも１つのサブフレームにてＴＤＤアップリンク/ダウンリンクの構成情報を含んだＤＣＩを搬送するためのＰＤＣＣＨまたはＥＰＤＣＣＨを検出する。
【００５６】
ここで、端末装置が予め定めた１つのサブフレーム集合は、具体的にはＮ個ずつの無線フレーム（ｒａｄｉｏ ｆｒａｍｅ）中の第Ｍ個目のサブフレームを含み、ここで、Ｎは１より小さくなく、Ｍは１より大きい且つＰより小さく、Ｐは１無線フレームに含まれるサブフレームの数である。ここで、端末装置が１つのサブフレームを予め定めることは、具体的には下記通りであり、ただしこれに限らない。すなわち、端末装置はネットワークが高位レイヤシグナリングを介して端末装置に通知した予め定められたサブフレーム集合の情報を受信する。
【００５７】
本発明の実施例において、端末装置は予め定められた１つのサブフレーム集合中の少なくとも１つのサブフレームにてＴＤＤアップリンク/ダウンリンクの構成情報を含んだＤＣＩを搬送するためのＰＤＣＣＨまたはＥＰＤＣＣＨを検出し、具体的には下記通りであり、ただしこれに限らない。すなわち、端末装置は最大尤度検出アルゴリズムを用い、予め定められた１つのサブフレーム集合中の少なくとも１つのサブフレームにてＴＤＤアップリンク/ダウンリンクの構成情報を含んだＤＣＩを搬送するためのＰＤＣＣＨまたはＥＰＤＣＣＨを検出する。
【００５８】
留意すべきは、最大尤度検出アルゴリズムは最適な検出アルゴリズムであり、受信ダイバーシチ利得が十分に得られる。なお、有効ビットが少ない場合、最大尤度検出アルゴリズムは実用的ある。本発明の実施例において有効ビットは２又は３である。
【００５９】
以下、具体的な例に即し上記の手順について詳細に説明する。
【００６０】
例１において、ネットワーク装置はＤＣＩフォーマット１Ｃを採用しＴＤＤアップリンク/ダウンリンクの構成情報を示す。ＤＣＩフォーマット１Ｃ中の３ビットはＴＤＤアップリンク/ダウンリンクの構成を示すのに用いられ、残りのビットは０にセットする。上記ＤＣＩフォーマット１ＣをＰＤＣＣＨまたはＥＰＤＣＣＨにマッピングする。それから、端末装置はＰＤＣＣＨまたはＥＰＤＣＣＨをブラインド検出し、ＴＤＤアップリンク/ダウンリンクの構成情報を示すためのＤＣＩフォーマット１Ｃを取得する。
【００６１】
例２において、ネットワーク装置はＤＣＩフォーマット１Ｃを採用しＴＤＤアップリンク/ダウンリンクの構成情報を示す。ＤＣＩフォーマット１Ｃ中の３ビットはＴＤＤアップリンク/ダウンリンクの構成を示すのに用い、残りのビットは０にセットする。ネットワーク装置はＣＣＥ集合レベル４を採用し、上記ＤＣＩフォーマット１Ｃを共通検出空間にマッピングする。それから、端末装置は共通検出空間のみにおいて、ＣＣＥ集合レベル４を用いＰＤＣＣＨまたはＥＰＤＣＣＨをブラインド検出し、ＴＤＤアップリンク/ダウンリンクの構成情報を示すためのＤＣＩフォーマット１Ｃを取得する。端末装置は最大尤度アルゴリズムによりＤＣＩフォーマット１Ｃを検出し、ＴＤＤアップリンク/ダウンリンクの構成情報を取得することができる。
【００６２】
例３において、ネットワーク装置はＤＣＩフォーマット１Ｃを採用しＴＤＤアップリンク/ダウンリンクの構成情報を示す。ＤＣＩフォーマット１Ｃ中の３ビットはＴＤＤアップリンク/ダウンリンクの構成を示すのに用い、残りのビットは０にセットする。ネットワーク装置はＣＣＥ集合レベル４を採用し、上記ＤＣＩフォーマット１Ｃを共通検出空間における１番目のＣＣＥ集合レベル４のリソースにマッピングする。それから、端末装置は共通検出空間のみにおいて、１番目のＣＣＥ集合レベルが４であるリソースにおいてＰＤＣＣＨまたはＥＰＤＣＣＨを検出し、ＴＤＤアップリンク/ダウンリンクの構成情報を示すためのＤＣＩフォーマット１Ｃを取得する。端末装置は最大尤度アルゴリズムによりＤＣＩフォーマット１Ｃを検出し、ＴＤＤアップリンク/ダウンリンクの構成情報を取得することができる。
【００６３】
要するに、本発明の実施の形態において、ネットワーク装置はＤＣＩにより端末装置にＴＤＤアップリンク/ダウンリンクの構成情報を示し、なおＤＣＩの複数の部分のビットにてＴＤＤアップリンク/ダウンリンクの構成情報を示すことを約定し、端末装置が最大尤度検出アルゴリズムを用いＤＣＩ検出を行う際の最大尤度検出アルゴリズムの複雑さを低減し、ＤＣＩ検出の正確性を向上させ、これにより端末装置は最大尤度検出アルゴリズムを用い最適な検出性能を達成することができる。さらに、ＰＤＣＣＨ又はＥＰＤＣＣＨのＤＣＩを物理的リソースＲＥにマッピングする方法により、端末装置の特定ＤＣＩ検索の複雑さを低減し、検索効率を向上させることができる。
【００６４】
本発明の実施例はさらにネットワーク装置を提供し、図５に示すように、当該ネットワーク装置は、時分割複信（ＴＤＤ）アップリンク/ダウンリンクの構成情報を含むダウンリンク制御情報（ＤＣＩ）を生成するための生成モジュール１１と、１つのダウンリンク物理制御チャネル（ＰＤＣＣＨ）または１つの拡張ダウンリンク物理制御チャネル（ＥＰＤＣＣＨ）を用い前記ＴＤＤアップリンク/ダウンリンクの構成情報を含んだＤＣＩを搬送するための処理モジュール１２と、予め定められた１つのサブフレーム中の少なくとも１つのサブフレームにて前記ＰＤＣＣＨ又はＥＰＤＣＣＨを送信するための送信モジュール１３と、を含む。
【００６５】
一実施例において、前記生成モジュール１１は、具体的には前記ＴＤＤアップリンク/ダウンリンクの構成情報を含むＤＣＩを生成するために用いられ、かつ、前記ＴＤＤアップリンク/ダウンリンクの構成情報は前記ＤＣＩ中の複数のビットにより示される。
【００６６】
一実施例において、前記複数のビットが前記ＤＣＩ中の３ビットである場合、第３世代の移動体通信システムの標準化プロジェクト３ＧＰＰ進化型ユニバーサル地上無線アクセス（Ｅ−ＵＴＲＡ）にてサポートされる７種類のＴＤＤアップリンク/ダウンリンクの構成中のいずれかのＴＤＤアップリンク/ダウンリンクの構成は前記３ビットにより示される。
【００６７】
別の一実施例において、前記複数のビットが前記ＤＣＩ中の２ビットである場合、３ＧＰＰ  Ｅ−ＵＴＲＡにてサポートされる４種類の５ｍｓ周期のＴＤＤアップリンク/ダウンリンクの構成中のいずれかのＴＤＤアップリンク/ダウンリンクの構成は、前記２ビットにより示される。
【００６８】
別の一実施例において、前記複数のビットが前記ＤＣＩ中の２ビットである場合、ＴＤＤアップリンク/ダウンリンクの構成集合中のいずれかのＴＤＤアップリンク/ダウンリンクの構成情報は、前記２ビットにより示され、ここで前記ＴＤＤアップリンク/ダウンリンクの構成集合は３ＧＰＰ  Ｅ−ＵＴＲＡにてサポートされる最多４種類のＴＤＤアップリンク/ダウンリンクの構成を含む。
【００６９】
一実施例において、前記生成モジュール１１にて生成されたＤＣＩはさらに前記複数のビットとは異なるＸ個の予め定められたビットを含み、前記Ｘ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の任意１つのＤＣＩの長さと等しく、ここで、Ｘは１以上である。
【００７０】
別の一実施例において、前記生成モジュール１１にて生成されたＤＣＩはさらに前記複数のビットとは異なるＹ個の予め定められたビットを含み、前記Ｙ個の予め定められたビットは、３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中のすくなくとも１つのＤＣＩのすべての情報を示すのに用いられ、ここで、Ｙは１以上である。
【００７１】
別の一実施例において、前記生成モジュール１１にて生成されたＤＣＩはさらに前記複数のビットとは異なるＺ個の予め定められたビットを含み、前記Ｚ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の最短ＤＣＩの長さより小さく、ここで、Ｚは０以上である。
【００７２】
前記生成モジュール１１にて生成されたＤＣＩに含まれる予め定められたビットは具体的には、全ビットが０の予め定められたビット又は全ビット１の予め定められたビットである。
【００７３】
一実施例において、前記ＰＤＣＣＨ又は前記ＥＰＤＣＣＨは、共通検出空間におけるＰＤＣＣＨ又はＥＰＤＣＣＨを指す。
【００７４】
或は、前記ＰＤＣＣＨ又は前記ＥＰＤＣＣＨは集合レベルがＳ以上のＰＤＣＣＨ又はＥＰＤＣＣＨを指し、ここで、Ｓは１より大きい。
【００７５】
或は、前記ＰＤＣＣＨ又は前記ＥＰＤＣＣＨは、指定の１つの論理番号または指定の複数の論理番号中の１つの論理番号のを有するＰＤＣＣＨ又はＥＰＤＣＣＨである。
【００７６】
前記送信モジュール１３は、具体的には１つのサブフレーム集合を予め定め、なお、前記予め定められた１つのサブフレーム集合中の少なくとも１つのサブフレームにてＰＤＣＣＨ又はＥＰＤＣＣＨを送信する
【００７７】
前記送信モジュール１３にて予め定められた１つのサブフレーム集合は、具体的には、Ｎ個ずつの無線フレーム（ｒａｄｉｏ ｆｒａｍｅ）中のＭ番目のサブフレームを含み、ここで、Ｎは１より小さくなく、Ｍは１より大きい且つＰより小さく、Ｐは１無線フレームに含まれるサブフレームの数である。
【００７８】
前記送信モジュール１３は、１つのサブフレーム集合を予め定めた後に、上位レイヤシグナリングを介して前記予め定めたサブフレーム集合の情報を端末装置に送信する。
【００７９】
ここで、本発明の実施例に係る前記装置の各モジュールは一体に集積しても良く、分離配置しても良い。上記モジュールは１つのモジュールに合併しても良く、さらに複数のサブモジュールに分割しても良い。
【００８０】
本発明の実施例はさらに端末装置を提供し、図６に示すように、当該終端装置は、検出モジュール２１と、取得モジュール２２とを含む。
【００８１】
前記検出モジュール２１は、予め定められた１つのサブフレーム集合中の少なくとも１つのサブフレームにてダウンリンク物理制御チャネル（ＰＤＣＣＨ）また拡張ダウンリンク物理制御チャネル（ＥＰＤＣＣＨ）を検出する。
【００８２】
前記取得モジュール２２は、検出されたＤＣＩから前記ＴＤＤアップリンク/ダウンリンクの構成情報を取得する。
前記ＰＤＣＣＨまたはＥＰＤＣＣＨは分割複信ＴＤＤアップリンク/ダウンリンクの構成情報を含むダウンリンク制御情報（ＤＣＩ）を搬送するのに用いる。
【００８３】
前記ＴＤＤアップリンク/ダウンリンクの構成情報は前記ＤＣＩ中の複数のビットにより示される。
【００８４】
一実施例において、前記複数のビットが前記ＤＣＩ中の３ビットである場合、第３世代の移動体通信システムの標準化プロジェクト（３ＧＰＰ）進化型ユニバーサル地上無線アクセス（Ｅ−ＵＴＲＡ）にてサポートされる７種類のＴＤＤアップリンク/ダウンリンクの構成中のいずれかのＴＤＤアップリンク/ダウンリンクの構成は、前記３ビットにより示される。
【００８５】
別の一実施例において、前記複数のビットが前記ＤＣＩ中の２ビットである場合、３ＧＰＰ  Ｅ−ＵＴＲＡにてサポートされる４種類の５ｍｓ周期のＴＤＤアップリンク/ダウンリンクの構成中のいずれかのＴＤＤアップリンク/ダウンリンクの構成は前記２ビットにより示される。
【００８６】
別の一実施例において、前記複数のビットが前記ＤＣＩ中の２ビットである場合、ＴＤＤアップリンク/ダウンリンクの構成集合中のいずれかのＴＤＤアップリンク/ダウンリンクの構成は前記２ビットによりしめされ、ここで、前記ＴＤＤアップリンク/ダウンリンクの構成集合は３ＧＰＰ  Ｅ−ＵＴＲＡにてサポートされる４種類のＴＤＤアップリンク/ダウンリンクの構成である。
【００８７】
一実施例において、前記ＤＣＩはさらに前記複数のビットとは異なるＸ個の予め定められたビットを含み、前記Ｘ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の任意の１つのＤＣＩの長さと等しく、ここで、Ｘは１以上である。
【００８８】
別の一実施例において、前記ＤＣＩはさらに前記複数のビットとは異なるＹ個の予め定められたビットを含み、前記Ｙ個の予め定められたビットは、３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中のすくなくとも１つのＤＣＩのすべての情報を示すのに用い、ここで、Ｙは１以上である。
【００８９】
別の一実施例において、前記ＤＣＩはさらに前記複数のビットとは異なるＺ個の予め定められたビットを含み、前記Ｚ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の最短ＤＣＩの長さより小さく、ここで、Ｚは０以上である。
【００９０】
前記ＤＣＩに含まれる予め定められたビットは具体的には、全ビットが０の予め定められたビット又は全ビット１の予め定められたビットである。
【００９１】
一実施例において、前記ＰＤＣＣＨ又は前記ＥＰＤＣＣＨは、共通検出空間におけるＰＤＣＣＨ又はＥＰＤＣＣＨを指し。
【００９２】
或は、前記ＰＤＣＣＨ又は前記ＥＰＤＣＣＨは集合レベルがＳ以上のＰＤＣＣＨ又はＥＰＤＣＣＨを指し、ここで、ＳＳは１より大きい。
【００９３】
或は、前記ＰＤＣＣＨ又は前記ＥＰＤＣＣＨは、指定された１論理番号または指定された複数の論理番号中の１つの論理番号を有するＰＤＣＣＨ又はＥＰＤＣＣＨである。
【００９４】
前記予め定められた１つのサブフレーム集合は、具体的には、Ｎ個ずつの無線フレーム ｒａｄｉｏ ｆｒａｍｅ中のＭ番目のサブフレームを含み、ここで、Ｎは１より小さくなく、Ｍは１より大きい且つＰより小さく、Ｐは１無線フレームに含まれるサブフレームの数である。
【００９５】
前記検出モジュール２１は、さらにネットワーク装置が上位レイヤシグナリングを介して前記端末装置に通知した予め定めたサブフレーム集合の情報を受信する。
【００９６】
前記検出モジュール２１は、具体的には最大尤度検出アルゴリズムを用い、予め定められた１つのサブフレーム集合中の少なくとも１つのサブフレームにてＴＤＤアップリンク/ダウンリンクの構成情報を含んだＤＣＩを搬送するためのＰＤＣＣＨまたはＥＰＤＣＣＨを検出する。
【００９７】
ここで、本発明装置の各モジュールは一体に集積しても良く、分離配置して良い。上記モジュールは１つのモジュールに合併しても良く、さらに複数のサブモジュールに分割しても良い。
【００９８】
図７は本発明の別のの一実施例に係るネットワーク装置の構成を示す図である。このネットワーク装置は少なくともメモリと、メモリと通信するプロセッサと、を含み、そのうち当該メモリはプロセッサによって実行される生成コマンド、処理コマンド及び送信コマンドを含む。当該メモリは不揮発コンピュータの読み取り可能な記憶媒体であって良く、生成コマンド、処理コマンド及び送信コマンドはメモリに格納された機械読み取可能なコマンドであって良い。プロセッサはメモリに格納された機械読み取可能なコマンドを実行することができる。
【００９９】
生成コマンドは、時分割複信（ＴＤＤ）アップリンク/ダウンリンクの構成情報を含むダウンリンク制御情報（ＤＣＩ）を生成する。
【０１００】
処理コマンドは、１つのダウンリンク物理制御チャネル（ＰＤＣＣＨ）または拡張ダウンリンク物理制御チャネル（ＥＰＤＣＣＨ）にて前記ＴＤＤアップリンク/ダウンリンクの構成情報を含むＤＣＩを搬送する。
【０１０１】
送信コマンドは、予め定められた１つのサブフレーム集合中の少なくとも１つのサブフレームにてＰＤＣＣＨまたはＥＰＤＣＣＨを送信する。
【０１０２】
前記生成コマンドは、前記ＴＤＤアップリンク/ダウンリンクの構成情報を含むＤＣＩを生成し、前記ＴＤＤアップリンク/ダウンリンクの構成情報は前記ＤＣＩ中の複数のビットにより示される。
【０１０３】
一実施例において、前記複数のビットが前記ＤＣＩ中の３ビットである場合、第３世代の移動体通信システムの標準化プロジェクト３ＧＰＰ進化型ユニバーサル地上無線アクセス（Ｅ−ＵＴＲＡ）にてサポートされる７種類のＴＤＤアップリンク/ダウンリンクの構成中のいずれかのＴＤＤアップリンク/ダウンリンクの構成は、前記３ビットにより示される。
【０１０４】
別の一実施例において、前記複数のビットが前記ＤＣＩ中の２ビットである場合、３ＧＰＰ  Ｅ−ＵＴＲＡにてサポートされる４種類の５ｍｓ周期のＴＤＤアップリンク/ダウンリンクの構成中のいずれかのＴＤＤアップリンク/ダウンリンクの構成は、前記２ビットにより示される。
【０１０５】
別の一実施例において、前記複数のビットが前記ＤＣＩ中の２ビットである場合、ＴＤＤアップリンク/ダウンリンクの構成集合中のいずれかのＴＤＤアップリンク/ダウンリンクの構成は前記２ビットにより示され、そのうち、前記ＴＤＤアップリンク/ダウンリンクの構成集合は３ＧＰＰ  Ｅ−ＵＴＲＡにてサポートされる最大４種類のＴＤＤアップリンク/ダウンリンクの構成を含む。
【０１０６】
一実施例において、前記生成コマンドにて生成されたＤＣＩはさらに前記複数のビットとは異なるＸ個の予め定められたビットを含み、前記Ｘ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の任意の１つのＤＣＩの長さと等しく、ここで、Ｘは１以上である。
【０１０７】
別の一実施例において、前記生成コマンドにて生成されたＤＣＩはさらに前記複数のビットとは異なるＹ個の予め定められたビットを含み、前記Ｙ個の予め定められたビットは、３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中のすくなくとも１つのＤＣＩのすべての情報を示すのに用い、ここで、Ｙは１以上である。
【０１０８】
別の一実施例において、前記生成コマンドにて生成されたＤＣＩはさらに前記複数のビットとは異なるＺ個の予め定められたビットを含み、前記Ｚ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の最短ＤＣＩの長さより小さく、ここで、Ｚは０以上である。
【０１０９】
前記生成コマンドにて生成されたＤＣＩに含まれる予め定められたビットは具体的には、全ビットが０の予め定められたビット又は全ビット１の予め定められたビットである。
【０１１０】
一実施例において、前記ＰＤＣＣＨ又は前記ＥＰＤＣＣＨは、共通検出空間におけるＰＤＣＣＨ又はＥＰＤＣＣＨを指し。
【０１１１】
或は、前記ＰＤＣＣＨ又は前記ＥＰＤＣＣＨは集合レベルがＳ以上のＰＤＣＣＨ又はＥＰＤＣＣＨを指し、ここで、Ｓは１より大きい。
【０１１２】
或は、前記ＰＤＣＣＨ又は前記ＥＰＤＣＣＨは、指定された１つの論理番号または指定された複数の論理番号中の１つの論理番号を有するＰＤＣＣＨ又はＥＰＤＣＣＨである。
【０１１３】
前記サブフレーム集合は送信コマンドにより決まり、かつ、Ｎ個ずつの無線フレーム ｒａｄｉｏ ｆｒａｍｅ中のＭ番目のサブフレームを含み、ここで、Ｎは１より小さくなく、Ｍは１より大きい且つＰより小さく、Ｐは１無線フレームに含まれるサブフレームの数である。
【０１１４】
前記送信コマンドは、上位レイヤシグナリングを介して前記予め定められたサブフレーム集合の情報を端末装置にさらに送信する。
【０１１５】
図８は本発明の別の一実施例に係る端末装置の構成を示す図である。この端末装置は少なくともメモリと、メモリと通信するプロセッサと、を含み、そのうち当該メモリはプロセッサによって実行される検出コマンド及び取得コマンドを含む。当該メモリは不揮発コンピュータの読み取り可能な記憶媒体であって良く、検出コマンド及び取得コマンドはメモリに格納された機械読み取可能なコマンドであって良い。プロセッサはメモリに格納された機械読み取可能なコマンドを実行することができる。
【０１１６】
検出コマンドは、予め定められた１つのサブフレーム中の少なくとも１つのサブフレームにおいてダウンリンク物理制御チャネル（ＰＤＣＣＨ）または拡張ダウンリンク物理制御チャネル（ＥＰＤＣＣＨ）を検出し、前記ＰＤＣＣＨまたはＥＰＤＣＣＨにより、時分割複信（ＴＤＤ）アップリンク/ダウンリンクの構成情報を含むダウンリンク制御情報（ＤＣＩ）を搬送する。
【０１１７】
取得コマンドは、検出されたＤＣＩ中から前記ＴＤＤアップリンク/ダウンリンクの構成情報を取得するのに用いられる。
【０１１８】
前記ＴＤＤアップリンク/ダウンリンクの構成情報は前記ＤＣＩ中の複数のビットにより示される。
【０１１９】
一実施例において、前記複数のビットが前記ＤＣＩ中の３ビットである場合、第３世代の移動体通信システムの標準化プロジェクト（３ＧＰＰ）進化型ユニバーサル地上無線アクセス（Ｅ−ＵＴＲＡ）にてサポートされる７種類のＴＤＤアップリンク/ダウンリンクの構成中のいずれかのＴＤＤアップリンク/ダウンリンクの構成は、前記３ビットにより示される。
【０１２０】
別の一実施例において、前記複数のビットが前記ＤＣＩ中の２ビットである場合、３ＧＰＰ  Ｅ−ＵＴＲＡにてサポートされる４種類の５ｍｓ周期のＴＤＤアップリンク/ダウンリンクの構成中のいずれかのＴＤＤアップリンク/ダウンリンクの構成は、前記２ビットにより示される。
【０１２１】
別の一実施例において、前記複数のビットが前記ＤＣＩ中の２ビットである場合、ＴＤＤアップリンク/ダウンリンクの構成集合中のいずれかのＴＤＤアップリンク/ダウンリンクの構成は前記２ビットにより示され、そのうち、前記ＴＤＤアップリンク/ダウンリンクの構成集合は、３ＧＰＰ  Ｅ−ＵＴＲＡにてサポートされる最大４種類のＴＤＤアップリンク/ダウンリンクの構成を含む。
【０１２２】
一実施例において、前記ＤＣＩはさらに前記複数のビットとは異なるＸ個の予め定められたビットを含み、前記Ｘ個の予め定められたビットと、前記ＴＤＤアップリンク/ダウンリンクの構成情報を示す複数のビットと、の長さの合計は、３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の任意１つのＤＣＩの長さと等しく、ここで、Ｘは１以上である。
【０１２３】
別の一実施例において、前記ＤＣＩはさらに前記複数のビットとは異なるＹ個の予め定められたビットを含み、前記Ｙ個の予め定められたビットは、３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中のすくなくとも１つのＤＣＩのすべての情報を示すのに用い、ここで、Ｙは１以上である。
【０１２４】
別の一実施例において、前記ＤＣＩはさらに前記複数のビットとは異なるＺ個の予め定められたビットを含み、前記Ｚ個の予め定められたビットと、前記ＴＤＤアップリンク/ダウンリンクの構成情報を示す複数のビットと、の長さの合計は、３ＧＰＰ  Ｅ−ＵＴＲＡにてサポートされるＤＣＩフォーマット０、１、１Ａ、１Ｂ、１Ｃ、１Ｄ、２、２Ａ、２Ｂ、２Ｃ、２Ｄ、３、３Ａ、４中の最短ＤＣＩの長さより小さく、ここで、Ｚは０以上である。
【０１２５】
前記ＤＣＩに含まれる予め定められたビットは具体的には、全ビットが０の予め定められたビット又は全ビット１の予め定められたビットである。
【０１２６】
一実施例において、前記ＰＤＣＣＨ又は前記ＥＰＤＣＣＨは、共通検出空間におけるＰＤＣＣＨ又はＥＰＤＣＣＨを指し。
【０１２７】
或は、前記ＰＤＣＣＨ又は前記ＥＰＤＣＣＨは集合レベルがＳ以上のＰＤＣＣＨ又はＥＰＤＣＣＨを指し、ここで、Ｓは１より大きい。
【０１２８】
或は、前記ＰＤＣＣＨ又は前記ＥＰＤＣＣＨは、指定された１つの論理番号または指定された複数の論理番号中の１つの論理番号を有するＰＤＣＣＨ又はＥＰＤＣＣＨである。
【０１２９】
前記予め定められた１つのサブフレーム集合は、Ｎ個ずつの無線フレーム ｒａｄｉｏ ｆｒａｍｅ中のＭ番目のサブフレームを含み、ここで、Ｎは１より小さくなく、Ｍは１より大きい且つＰより小さく、Ｐは１無線フレームに含まれるサブフレームの数である。
【０１３０】
前記検出コマンドはさらにネットワーク装置から上位レイヤシグナリングを介して前記端末装置に通知された前記予め定められたサブフレーム集合の情報を受信する。
【０１３１】
前記検出コマンドは具体的には最大尤度検出アルゴリズムを用い、予め定められた１つのサブフレーム集合中の少なくとも１つのサブフレームにてＴＤＤアップリンク/ダウンリンクの構成情報を含んだＤＣＩを搬送するためのＰＤＣＣＨまたはＥＰＤＣＣＨを検出する。
【０１３２】
上記実施の形態の説明から本分野の技術者として分かるように、本発明はソフトウェアを補助にして、必要に応じて通用のハードウェアプラットホームを加える方式で実施することができ、当然ハードウェアにより実施してもよく、多くの場合、前者はより好ましい実施の形態である。このような理解を踏まえ、本発明の技術案の本質的な部分、言い換えれば従来技術に寄与する部分は、ソフトウェア製品の形態で具現しても良く、このコンピュータソフトウェア製品は記憶媒体に保存され、複数のコマンドを含み、それらによりコンピュータ装置（パソコン、サーバ、またはネットワーク装置などであって良い）に本発明の各実施の形態に記載の方法を実行させる。
【０１３３】
本分野の技術者が理解する通りに、図面は好ましい実施例を示す図であり、図中のモジュールやフローは本発明を実施するのに必須ではない。
【０１３４】
本分野の技術者が理解する通りに、実施例中の装置におけるモジュールは、実施例の説明通りに実施例の装置中に分布しても良く、相応変化してから本実施例とは異なる１つまたは複数の装置中に位置しても良い。上記実施例に係るモジュールは１つのモジュールに集約してもよく、さらに複数のモジュールに分割しても良い。
【０１３５】
上記本発明の実施例の番号は単なる記述のためのものであり、実施例の優劣を表すものではない。
【０１３６】
上記に開示したのは本発明のいくつかの具体的な実施例に過ぎず、本発明はこれに限られるものではなく、本分野の技術者が想到できる変化は本発明の保護範囲に属すべきである。
【符号の説明】
【０１３７】
１１  生成モジュール
１２  処理モジュール
１３  送信モジュール
２１  検出モジュール
２２  取得モジュール
【図１】
2016514920.tif 000006
【図２】
2016514920.tif 000007
【図３】
2016514920.tif 000008
【図４】
2016514920.tif 000009
【図５】
2016514920.tif 000010
【図６】
2016514920.tif 000011
【図７】
2016514920.tif 000012
【図８】
2016514920.tif 000013
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
アップリンク/ダウンリンクの構成情報送信方法であって、
前記アップリンク/ダウンリンクの構成情報送信方法は、
ネットワーク装置は、時分割複信（ＴＤＤ）アップリンク/ダウンリンクの構成情報を含むダウンリンク制御情報（ＤＣＩ）を生成するステップと、
前記ネットワーク装置は、ダウンリンク物理制御チャネル（ＰＤＣＣＨ）または拡張ダウンリンク物理制御チャネル（ＥＰＤＣＣＨ）を用い、前記ＴＤＤアップリンク/ダウンリンクの構成情報を含むＤＣＩを搬送するステップと、
前記ネットワーク装置は、予め定められた１つのサブフレーム集合中の少なくとも１つのサブフレームにて前記ＰＤＣＣＨ又はＥＰＤＣＣＨを送信するステップと、
を備えることを特徴とするアップリンク/ダウンリンクの構成情報送信方法。
【請求項２】
前記ネットワーク装置が時分割複信（ＴＤＤ）アップリンク/ダウンリンクの構成情報を含むダウンリンク制御情報チャネルＤＣＩを生成することは、
前記ネットワーク装置は前記ＴＤＤアップリンク/ダウンリンクの構成情報を含むＤＣＩを生成し、かつ、前記ＴＤＤアップリンク/ダウンリンクの構成情報は前記ＤＣＩ中の複数のビットにより示されることを含む、
ことを特徴とする請求項１記載のアップリンク/ダウンリンクの構成情報送信方法。
【請求項３】
前記ＤＣＩは、前記複数のビットとは異なるＸ個の予め定められたビットをさらに含み、前記Ｘ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の任意の１つのＤＣＩの長さと等しく、ここで、Ｘは１以上であり、
または、
前記ＤＣＩは、前記複数のビットとは異なるＹ個の予め定められたビットをさらに含み、前記Ｙ個の予め定められたビットは、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の少なくとも１つのＤＣＩの全ての情報を示し、ここで、Ｙは１以上であり、
または、
前記ＤＣＩは、さらに前記複数のビットとは異なるＺ個の予め定められたビットを含み、前記Ｚ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の最短ＤＣＩの長さより短く、ここで、Ｚは０以上である、
ことを特徴とする請求項２記載のアップリンク/ダウンリンクの構成情報送信方法。
【請求項４】
前記ＤＣＩに含まれる予め定められたビットは、全ビットが０の予め定められたビット又はオール３の予め定められたビットである、
ことを特徴とする請求項３記載のアップリンク/ダウンリンクの構成情報送信方法。
【請求項５】
前記ＰＤＣＣＨまたはＥＰＤＣＣＨとは、共通検出空間中（ｃｏｍｍｏｎ  ｓｅａｒｃｈ  ｓｐａｃｅ）のＰＤＣＣＨまたはＥＰＤＣＣＨを指し、
または、
前記ＰＤＣＣＨまたはＥＰＤＣＣＨは集合レベルがＳ以上のＰＤＣＣＨまたはＥＰＤＣＣＨを指し、ここで、Ｓ＞１であり、
または、
前記ＰＤＣＣＨまたはＥＰＤＣＣＨは指定の１つの論理番号または指定の複数の論理番号中の１つの論理番号を有するＰＤＣＣＨまたはＥＰＤＣＣＨである、
ことを特徴とする請求項１記載のアップリンク/ダウンリンクの構成情報送信方法。
【請求項６】
前記サブフレーム集合は，前記ネットワーク装置により予め定められ、かつ、Ｎ個ずつの無線フレーム（ｒａｄｉｏ ｆｒａｍｅ）中の第Ｍ個目のサブフレームを含み、ここで、Ｎは１より小さくなく、Ｍは１より大きい且つＰより小さく、Ｐは１つの無線フレームに含まれるサブフレームの数である、
ことを特徴とする請求項１記載のアップリンク/ダウンリンクの構成情報送信方法。
【請求項７】
ネットワーク装置は上位レイヤシグナリングにより予め定められたサブフレーム集合の情報を端末装置に送信するステップ、
をさらに備えることを特徴とする請求項６記載のアップリンク/ダウンリンクの構成情報送信方法。
【請求項８】
アップリンク/ダウンリンクの構成情報送信方法であって、
前記アップリンク/ダウンリンクの構成情報送信方法は、
端末装置は，予め定められた１つのサブフレーム集合中の少なくとも１つのサブフレームにてダウンリンク物理制御チャネル（ＰＤＣＣＨ）または拡張ダウンリンク物理制御チャネル（ＥＰＤＣＣＨ）を検出し、前記ＰＤＣＣＨまたはＥＰＤＣＣＨは時分割復信ＴＤＤアップリンク/ダウンリンクの構成情報を含むダウンリンク制御信号ＤＣＩを搬送するステップと、
前記端末装置は，検出されたＤＣＩから前記ＴＤＤアップリンク/ダウンリンクの構成情報を取得するステップと、
を備えることを特徴とするアップリンク/ダウンリンクの構成情報送信方法。
【請求項９】
前記ＴＤＤアップリンク/ダウンリンクの構成情報は前記ＤＣＩ中の複数のビットにより示される、
ことを特徴とする請求項８記載のアップリンク/ダウンリンクの構成情報送信方法。
【請求項１０】
前記ＤＣＩはさらに前記複数のビットとは異なるＸ個の予め定められたビットを含み、前記Ｘ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の任意の１つのＤＣＩの長さと等しく、ここで、Ｘは１以上であり、
または、
前記ＤＣＩはさらに前記複数のビットとは異なるＹ個の予め定められたビットを含み、前記Ｙ個の予め定められたビットは、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の少なくとも１つのＤＣＩの全ての情報を示し、ここで、Ｙは１以上であり、
または、
前記ＤＣＩはさらに前記複数のビットとは異なるＺ個の予め定められたビットを含み、前記Ｚ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の最短ＤＣＩの長さより短く、ここで、Ｚは０以上である、
ことを特徴とする請求項９記載のアップリンク/ダウンリンクの構成情報送信方法。
【請求項１１】
前記ＤＣＩに含まれる予め定められたビットは、全ビットが０の予め定められたビット又はオール１の予め定められたビットである、
ことを特徴とする請求項１０記載のアップリンク/ダウンリンクの構成情報送信方法。
【請求項１２】
前記ＰＤＣＣＨまたはＥＰＤＣＣＨとは、共通検出空間中のＰＤＣＣＨまたはＥＰＤＣＣＨを指し、または、
前記ＰＤＣＣＨまたはＥＰＤＣＣＨは，集合レベルがＳ以上のＰＤＣＣＨまたはＥＰＤＣＣＨを指し、ここで、Ｓ＞１であり、
または、
前記ＰＤＣＣＨまたはＥＰＤＣＣＨは、指定の１つの論理番号または指定の複数の論理番号中の１つの論理番号を有するＰＤＣＣＨまたはＥＰＤＣＣＨである、
ことを特徴とする請求項８記載のアップリンク/ダウンリンクの構成情報送信方法。
【請求項１３】
前記予め定められた１つのサブフレーム集合は、Ｎ個ずつの無線フレーム（ｒａｄｉｏ ｆｒａｍｅ）中の第Ｍ個目のサブフレームを含み、ここで、Ｎは１より小さくなく、Ｍは１より大きい且つＰより小さく、Ｐは１無線フレームに含まれるサブフレームの数である、
請求項８記載のアップリンク/ダウンリンクの構成情報送信方法。
【請求項１４】
前記端末装置はネットワーク装置が上位レイヤシグナリングにより前記端末装置に通知した、予め定められたサブフレーム集合の情報を受信すること、
をさらに含むことを特徴とする請求項１３記載のアップリンク/ダウンリンクの構成情報送信方法。
【請求項１５】
前記端末装置が予め定められた１つのサブフレーム集合中の少なくとも１つのサブフレームにてダウンリンク物理制御チャネル（ＰＤＣＣＨ）または拡張ダウンリンク物理制御チャネル（ＥＰＤＣＣＨ）を検出することは、
端末装置が最大尤度検出アルゴリズムを用い、予め定められた１つのサブフレーム集合中の少なくとも１つのサブフレームにてＴＤＤアップリンク/ダウンリンクの構成情報を含んだＤＣＩを搬送するためのＰＤＣＣＨまたはＥＰＤＣＣＨを検出する、ことを含むことを特徴とする請求項８記載のアップリンク/ダウンリンクの構成情報送信方法。
【請求項１６】
アップリンク/ダウンリンクの構成情報時分割複信（ＴＤＤ）アップリンク/ダウンリンクの構成情報を含むダウンリンク制御情報（ＤＣＩ）を生成するための生成モジュールと、
１つのダウンリンク物理制御チャネル（ＰＤＣＣＨ）または１つの拡張ダウンリンク物理制御チャネル（ＥＰＤＣＣＨ）を用い前記ＴＤＤアップリンク/ダウンリンクの構成情報を含んだＤＣＩを搬送するための処理モジュールと、
予め定められた１つのサブフレーム中の少なくとも１つのサブフレームにて前記ＰＤＣＣＨ又はＥＰＤＣＣＨを送信するための送信モジュールと、
を含むネットワーク装置。
【請求項１７】
前記生成モジュールは、具体的には前記ＴＤＤアップリンク/ダウンリンクの構成情報を含むＤＣＩを生成するために用いられ、かつ、前記ＴＤＤアップリンク/ダウンリンクの構成情報は前記ＤＣＩ中の複数のビットを介し示される、
ことを特徴とする請求項１６記載のネットワーク装置。
【請求項１８】
前記ＤＣＩは、前記複数のビットとは異なるＸ個の予め定められたビットをさらに含み、前記Ｘ個の予め定められたビットと、前記ＴＤＤアップリンク/ダウンリンクの構成情報を示す複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の任意の１つのＤＣＩの長さと等しく、ここで、Ｘは１以上であり、
または、
前記ＤＣＩは、前記複数のビットとは異なるＹ個の予め定められたビットをさらに含み、前記Ｙ個の予め定められたビットは、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の少なくとも１つのＤＣＩの全ての情報を示し、ここで、Ｙは１以上であり、または、
前記ＤＣＩは、前記複数のビットとは異なるＺ個の予め定められたビットをさらに含み、前記Ｚ個の予め定められたビットと、前記ＴＤＤアップリンク/ダウンリンクの構成情報の複数のビットと、の長さの合計は３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の最短ＤＣＩの長さより短く、ここで、Ｚは０以上である、
ことを特徴とする請求項１７記載のネットワーク装置。
【請求項１９】
予め定められた１つのサブフレーム集合中の少なくとも１つのサブフレームにてダウンリンク物理制御チャネル（ＰＤＣＣＨ）または拡張ダウンリンク物理制御チャネル（ＥＰＤＣＣＨ）を検出し、前記ＰＤＣＣＨまたはＥＰＤＣＣＨは時分割復信ＴＤＤアップリンク/ダウンリンクの構成情報を含むダウンリンク制御情報（ＤＣＩ）を搬送する検出モジュールと、
検出されたＤＣＩから前記ＴＤＤアップリンク/ダウンリンクの構成情報を取得する取得モジュールと、
を含むことを特徴とする端末装置。
【請求項２０】
前記ＴＤＤアップリンク/ダウンリンクの構成情報は、前記ＤＣＩ中の複数のビットにより示される、
ことを特徴とする請求項１９記載の端末装置。
【請求項２１】
前記ＤＣＩは、前記複数のビットとは異なるＸ個の予め定められたビットをさらに含み、前記Ｘ個の予め定められたビットと、前記ＴＤＤアップリンク/ダウンリンクの構成情報を示す複数のビットと、の長さの合計は、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の任意の１つのＤＣＩの長さと等しく、ここで、Ｘは１以上であり、
または、
前記ＤＣＩは、前記複数のビットとは異なるＹ個の予め定められたビットをさらに含み、前記Ｙ個の予め定められたビットは、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の少なくとも１つのＤＣＩの全ての情報を示し、ここで、Ｙは１以上であり、
または、
前記ＤＣＩは、前記複数のビットとは異なるＺ個の予め定められたビットをさらに含み、前記Ｚ個の予め定められたビットと、前記ＴＤＤアップリンク/ダウンリンクの構成情報の複数のビットと、の長さの合計は、３ＧＰＰ  Ｅ−ＵＴＲＡにてサポートされるＤＣＩフォーマット０、１、１Ａ、１Ｂ、１Ｃ，１Ｄ、２、２Ａ、２Ｂ、２Ｃ、２Ｄ、３、３Ａ、４中の最短ＤＣＩの長さより短く、ここで、Ｚは０以上である、
ことを特徴とする請求項２０記載の端末装置。
【国際調査報告】
2016514920.tif 000014
2016514920.tif 000015
2016514920.tif 000016
2016514920.tif 000017